(57)【特許請求の範囲】
【請求項１】
表示部を備えた画像処理装置であって、
画像をページ毎に前記表示部にプレビュー表示するプレビュー表示手段と、
画像の特徴を抽出する特徴抽出手段と、
前記表示部にプレビュー表示したページの画像の特徴を記憶する特徴記憶手段と、
前記特徴記憶手段にて記憶した画像の特徴から規則性を抽出する規則性抽出手段と、
前記表示部にプレビュー表示しているページの画像の特徴が、前記規則性抽出手段にて抽出した規則性に合致しない場合、合致しない特徴を補正するためのメニューを表示する補正メニュー表示手段と、
前記表示部にプレビュー表示するページを変更するページ変更手段と、を備え、
前記ページ変更手段にて第１の時間の間ページを変更しなかった場合、前記特徴記憶手段は、第１の時間の間プレビュー表示されたページの画像の特徴を記憶する、画像処理装置。
【請求項２】
前記プレビュー表示手段は、前記表示部にプレビュー表示するページを次ページに変更するための第１の記号を、前記表示部にプレビュー表示しているページの画像とともに前記表示部に表示し、
前記第１の記号が選択された場合に、前記ページ変更手段はプレビュー表示する画像のページを次ページに変更する、請求項１に記載の画像処理装置。
【請求項３】
表示部を備えた画像処理装置であって、
画像をページ毎に前記表示部にプレビュー表示するプレビュー表示手段と、
画像の特徴を抽出する特徴抽出手段と、
前記表示部にプレビュー表示したページの画像の特徴を記憶する特徴記憶手段と、
前記特徴記憶手段にて記憶した画像の特徴から規則性を抽出する規則性抽出手段と、
前記表示部にプレビュー表示しているページの画像の特徴が、前記規則性抽出手段にて抽出した規則性に合致しない場合、合致しない特徴を補正するためのメニューを表示する補正メニュー表示手段と、を備え、
前記特徴記憶手段にて記憶した画像の特徴が所定のページ毎に一致している場合に、前記規則性抽出手段は規則性を抽出する、画像処理装置。
【請求項４】
前記特徴記憶手段にて記憶した画像の特徴が全ページで一致している場合に、前記規則性抽出手段は規則性を抽出する、請求項３に記載の画像処理装置。
【請求項５】
前記特徴記憶手段にて記憶した画像の特徴がＮ（Ｎは自然数）ページ毎に一致している場合に、前記規則性抽出手段は規則性を抽出する、請求項３または４に記載の画像処理装置。
【請求項６】
前記特徴記憶手段にて記憶した画像の特徴が連続したＭ（Ｍは自然数）ページで一致している場合に、前記規則性抽出手段は規則性を抽出する、請求項３〜５のいずれかに記載の画像処理装置。
【請求項７】
表示部を備えた画像処理装置であって、
画像をページ毎に前記表示部にプレビュー表示するプレビュー表示手段と、
画像の特徴を抽出する特徴抽出手段と、
前記表示部にプレビュー表示したページの画像の特徴を記憶する特徴記憶手段と、
前記特徴記憶手段にて記憶した画像の特徴から規則性を抽出する規則性抽出手段と、
前記表示部にプレビュー表示しているページの画像の特徴が、前記規則性抽出手段にて抽出した規則性に合致しない場合、合致しない特徴を補正するためのメニューを表示する補正メニュー表示手段と、を備え、
前記特徴記憶手段は画像の特徴を数値で記憶し、
前記規則性抽出手段は、前記特徴記憶手段にて記憶した数値の平均値Ａおよび標準偏差ｓを求め、画像の特徴が前記平均値Ａ±前記標準偏差ｓ×ｉ（ｉは正数）の範囲内にあることを規則性として抽出する、画像処理装置。
【請求項８】
表示部を備えた画像処理装置の制御プログラムであって、
画像をページ毎に前記表示部にプレビュー表示するプレビュー表示ステップと、
画像の特徴を抽出する特徴抽出ステップと、
前記表示部にプレビュー表示したページの画像の特徴を記憶する特徴記憶ステップと、
前記特徴記憶ステップにて記憶した画像の特徴から規則性を抽出する規則性抽出ステップと、
前記表示部にプレビュー表示しているページの画像の特徴が、前記規則性抽出ステップにて抽出した規則性に合致しない場合、合致しない特徴を補正するためのメニューを表示する補正メニュー表示ステップと、
前記表示部にプレビュー表示するページを変更するページ変更ステップと、をコンピュータに実行させ、
前記ページ変更ステップにて第１の時間の間ページを変更しなかった場合、前記特徴記憶ステップにおいて、第１の時間の間プレビュー表示されたページの画像の特徴を記憶する、画像処理装置の制御プログラム。
【請求項９】
表示部を備えた画像処理装置の制御プログラムであって、
画像をページ毎に前記表示部にプレビュー表示するプレビュー表示ステップと、
画像の特徴を抽出する特徴抽出ステップと、
前記表示部にプレビュー表示したページの画像の特徴を記憶する特徴記憶ステップと、
前記特徴記憶ステップにて記憶した画像の特徴から規則性を抽出する規則性抽出ステップと、
前記表示部にプレビュー表示しているページの画像の特徴が、前記規則性抽出ステップにて抽出した規則性に合致しない場合、合致しない特徴を補正するためのメニューを表示する補正メニュー表示ステップと、をコンピュータに実行させ、
前記特徴記憶ステップにて記憶した画像の特徴が所定のページ毎に一致している場合に、前記規則性抽出ステップにおいて規則性を抽出する、画像処理装置の制御プログラム。
【発明の詳細な説明】
【技術分野】
【０００１】
本発明は画像処理装置および画像処理装置の制御プログラムに関し、より特定的には、画像をページ毎にプレビュー表示する画像処理装置および画像処理装置の制御プログラムに関する。
【背景技術】
【０００２】
電子写真式の画像形成装置には、スキャナ機能、ファクシミリ機能、複写機能、プリンタとしての機能、データ通信機能、およびサーバ機能を備えたＭＦＰ（Ｍｕｌｔｉ  Ｆｕｎｃｔｉｏｎ  Ｐｅｒｉｐｈｅｒａｌ）、ファクシミリ装置、複写機、プリンタなどがある。
【０００３】
従来の画像形成装置は、印刷する画像を画像形成装置の操作パネルに表示するプレビュー機能を有している。プレビュー機能を利用することにより、ユーザは印刷物の仕上がりを事前にチェックすることができる。
【０００４】
また従来の画像形成装置は、プレビュー表示中にユーザからのモードの設定を受け付け、設定されたモードに従ってプレビュー画像を補正する機能をさらに有している。ユーザが設定可能なモードとは、たとえば画像の濃淡の補正や、ページの入れ替えや、画像の向きの変更などである。これにより、プレビュー画像に誤りがあった場合に、ユーザは必要なモードを設定してプレビュー画像に反映させることで、ミスコピーを防ぐことができる。
【０００５】
ここで、下記特許文献１〜５には、プレビュー表示中の画像形成装置の操作方法に関する技術が開示されている。下記特許文献１には、プレビュー表示画面に、挿入紙設定、ページ削除、または文書挿入の設定画面に遷移するためのボタンを表示し、これらのボタンが押下された場合に、プレビューしたページに対する編集を受け付ける技術が開示されている。下記特許文献２には、原稿画像のサムネイルデータを作成し、プレビュー表示された原稿画像のサムネイルデータから合紙や挿入紙の挿入位置の指定を受け付ける技術が開示されている。下記特許文献３には、カラー／モノクロ自動切替が選択されている間に白黒のみのプリントが一定以上続いたときは、白黒モードへ変更することをユーザに促す技術が開示されている。下記特許文献４には、両面プリント設定時には、奇数ページあるいは偶数ページの画像のみを指定してプレビュー表示することが可能な技術が開示されている。下記特許文献５には、画像処理装置に入力された画像のうち白紙などの特異なページが検出された場合には、そのページを表示部に表示させ、不要か否かを利用者に選択させる技術が開示されている。
【先行技術文献】
【特許文献】
【０００６】
【特許文献１】特開２００６−１８００４４号公報
【特許文献２】特開２００６−１９９０４号公報
【特許文献３】特開２０１０−２６３８号公報
【特許文献４】特開２００９−２６０６９６号公報
【特許文献５】特開２００９―２０６６７８号公報
【発明の概要】
【発明が解決しようとする課題】
【０００７】
特にＭＦＰなどの画像形成装置は、近年、設定可能なモード（機能）を多数有している。プレビュー表示中にそれらのモードの選択を可能にするために、従来の画像形成装置では、多数のモード設定キーを操作パネルの画面上に表示したり、モード設定を適当にグループ化して操作パネルの画面上に表示し、順次グループを切り替えて所望するモードを選択させたりしていた。ユーザは、プレビュー表示中に原稿読み取りのミスや原稿作成時のミスを発見した場合に、多数のモードの中から所望するモードを探さなければならなかった。このため、操作が煩雑であり、画像形成装置の利便性が低いという問題があった。
【０００８】
たとえば、ユーザがプレビュー表示画面において手動でページをめくりながら各ページのプレビュー画像を確認している場合に、プレビュー画像の中に濃度の薄いページなどを発見したときは、ユーザは多数のモードの中から濃度を設定するモードを見つけ出して設定する必要があった。
【０００９】
この問題は、特許文献１〜５の技術では解決することはできなかった。
【００１０】
本発明は、上記課題を解決するためのものであり、その目的は、利便性の高い画像処理装置および画像処理装置の制御プログラムを提供することである。
【課題を解決するための手段】
【００１１】
本発明の一の局面に従う画像処理装置は、表示部を備えた画像処理装置であって、画像をページ毎に表示部にプレビュー表示するプレビュー表示手段と、画像の特徴を抽出する特徴抽出手段と、表示部にプレビュー表示したページの画像の特徴を記憶する特徴記憶手段と、特徴記憶手段にて記憶した画像の特徴から規則性を抽出する規則性抽出手段と、表示部にプレビュー表示しているページの画像の特徴が、規則性抽出手段にて抽出した規則性に合致しない場合、合致しない特徴を補正するためのメニューを表示する補正メニュー表示手段と、表示部にプレビュー表示するページを変更するページ変更手段と、を備え、ページ変更手段にて第１の時間の間ページを変更しなかった場合、特徴記憶手段は、第１の時間の間プレビュー表示されたページの画像の特徴を記憶する。
【００１４】
上記画像処理装置において好ましくは、プレビュー表示手段は、表示部にプレビュー表示するページを次ページに変更するための第１の記号を、表示部にプレビュー表示しているページの画像とともに表示部に表示し、第１の記号が選択された場合に、ページ変更手段はプレビュー表示する画像のページを次ページに変更する。
【００２２】
本発明の他の局面に従う画像処理装置は、表示部を備えた画像処理装置であって、画像をページ毎に表示部にプレビュー表示するプレビュー表示手段と、画像の特徴を抽出する特徴抽出手段と、表示部にプレビュー表示したページの画像の特徴を記憶する特徴記憶手段と、特徴記憶手段にて記憶した画像の特徴から規則性を抽出する規則性抽出手段と、表示部にプレビュー表示しているページの画像の特徴が、規則性抽出手段にて抽出した規則性に合致しない場合、合致しない特徴を補正するためのメニューを表示する補正メニュー表示手段と、を備え、特徴記憶手段にて記憶した画像の特徴が所定のページ毎に一致している場合に、規則性抽出手段は規則性を抽出する。
【００２３】
上記画像処理装置において好ましくは、特徴記憶手段にて記憶した画像の特徴が全ページで一致している場合に、規則性抽出手段は規則性を抽出する。
【００２４】
上記画像処理装置において好ましくは、特徴記憶手段にて記憶した画像の特徴がＮ（Ｎは自然数）ページ毎に一致している場合に、規則性抽出手段は規則性を抽出する。
【００２５】
上記画像処理装置において好ましくは、特徴記憶手段にて記憶した画像の特徴が連続したＭ（Ｍは自然数）ページで一致している場合に、規則性抽出手段は規則性を抽出する。
【００２６】
本発明のさらに他の局面に従う画像処理装置は、表示部を備えた画像処理装置であって、画像をページ毎に表示部にプレビュー表示するプレビュー表示手段と、画像の特徴を抽出する特徴抽出手段と、表示部にプレビュー表示したページの画像の特徴を記憶する特徴記憶手段と、特徴記憶手段にて記憶した画像の特徴から規則性を抽出する規則性抽出手段と、表示部にプレビュー表示しているページの画像の特徴が、規則性抽出手段にて抽出した規則性に合致しない場合、合致しない特徴を補正するためのメニューを表示する補正メニュー表示手段と、を備え、特徴記憶手段は画像の特徴を数値で記憶し、規則性抽出手段は、特徴記憶手段にて記憶した数値の平均値Ａおよび標準偏差ｓを求め、画像の特徴が平均値Ａ±標準偏差ｓ×ｉ（ｉは正数）の範囲内にあることを規則性として抽出する。
【００２８】
本発明のさらに他の局面に従う画像処理装置の制御プログラムは、表示部を備えた画像処理装置の制御プログラムであって、画像をページ毎に表示部にプレビュー表示するプレビュー表示ステップと、画像の特徴を抽出する特徴抽出ステップと、表示部にプレビュー表示したページの画像の特徴を記憶する特徴記憶ステップと、特徴記憶ステップにて記憶した画像の特徴から規則性を抽出する規則性抽出ステップと、表示部にプレビュー表示しているページの画像の特徴が、規則性抽出ステップにて抽出した規則性に合致しない場合、合致しない特徴を補正するためのメニューを表示する補正メニュー表示ステップと、表示部にプレビュー表示するページを変更するページ変更ステップと、をコンピュータに実行させ、ページ変更ステップにて第１の時間の間ページを変更しなかった場合、特徴記憶ステップにおいて、第１の時間の間プレビュー表示されたページの画像の特徴を記憶する。
本発明のさらに他の局面に従う画像処理装置の制御プログラムは、表示部を備えた画像処理装置の制御プログラムであって、画像をページ毎に表示部にプレビュー表示するプレビュー表示ステップと、画像の特徴を抽出する特徴抽出ステップと、表示部にプレビュー表示したページの画像の特徴を記憶する特徴記憶ステップと、特徴記憶ステップにて記憶した画像の特徴から規則性を抽出する規則性抽出ステップと、表示部にプレビュー表示しているページの画像の特徴が、規則性抽出ステップにて抽出した規則性に合致しない場合、合致しない特徴を補正するためのメニューを表示する補正メニュー表示ステップと、をコンピュータに実行させ、特徴記憶ステップにて記憶した画像の特徴が所定のページ毎に一致している場合に、規則性抽出ステップにおいて規則性を抽出する。
【発明の効果】
【００２９】
本発明によれば、利便性の高い画像処理装置および画像処理装置の制御プログラムを提供することができる。
【図面の簡単な説明】
【００３０】
【図１】本発明の一実施の形態における画像形成装置の構成を示すブロック図である。
【図２】図１に示す操作パネルの構成を模式的に示す図である。
【図３】スキャナ部が原稿の画像を読み取っている場合の操作パネルの表示状態を模式的に示す図である。
【図４】プレビューボタンが押下された場合の操作パネルの表示状態を模式的に示す図である。
【図５】ＨＤＤが記憶するプレビュー表示特徴情報Ｘを模式的に示す図である。
【図６】ＨＤＤが記憶するプレビュー表示特徴情報Ｙを模式的に示す図である。
【図７】本発明の一実施の形態における画像形成装置の動作を示すフローチャートである。
【図８】図７のステップＳ３００に示す入力処理のサブルーチンである。
【図９】図８のステップＳ３０３に示すタッチパネル入力処理のサブルーチンである。
【図１０】ＨＤＤが記憶する特徴定義テーブルを模式的に示す図である。
【図１１】図８のステップＳ３１４に示すモード設定メニュー表示処理のサブルーチンである。
【図１２】図１１のステップＳ３５３に示す規則性抽出処理のサブルーチンである。
【図１３】定性値から規則性を抽出するフィルタを模式的に示す図である。
【図１４】図１２のステップＳ３７２に示す定性値処理のサブルーチンである。
【図１５】図１２のステップＳ３７３に示す定量値処理のサブルーチンである。
【図１６】数値から規則性を抽出するフィルタを模式的に示す図である。
【図１７】図１２のステップＳ３７４に示す連続値処理のサブルーチンである。
【図１８】図７のステップＳ５００に示す読み取り処理のサブルーチンである。
【図１９】図１８に示すステップＳ５１３に示す特徴抽出処理のサブルーチンである。
【図２０】第１の変型例における、プレビューボタンが押下された場合の操作パネルの表示状態を模式的に示す図である。
【図２１】第１の変型例における図７のステップＳ３００に示す入力処理のサブルーチンである。
【図２２】図２１のステップＳ８０３に示すタッチパネル入力処理のサブルーチンである。
【図２３】第２の変型例における画像形成装置の動作を示すフローチャートである。
【発明を実施するための形態】
【００３１】
以下、本発明の一実施の形態について、図面に基づいて説明する。
【００３２】
本実施の形態においては、画像処理装置が、電子写真方式や静電記録方式などによって画像形成を行う画像形成装置である場合について説明する。本実施の形態における画像形成装置は、スキャナ機能、ファクシミリ機能、複写機能、プリンタとしての機能、データ通信機能、およびサーバ機能を備えたＭＦＰ（Ｍｕｌｔｉ  Ｆｕｎｃｔｉｏｎ  Ｐｅｒｉｐｈｅｒａｌ）や、ファクシミリ装置、複写機、プリンタなどであってもよい。画像処理装置は、画像形成装置の他、ＰＣ（Ｐｅｒｓｏｎａｌ  Ｃｏｍｐｕｔｅｒ）、携帯端末装置、またはカメラなどであってもよい。
【００３３】
［画像形成装置の構成］
【００３４】
始めに、画像形成装置の構成について説明する。
【００３５】
図１は、本発明の一実施の形態における画像形成装置の構成を示すブロック図である。
【００３６】
図１を参照して、画像形成装置１は、たとえばＭＦＰであり、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、ＨＤＤ（Ｈａｒｄ  Ｄｉｓｋ  Ｄｒｉｖｅ）１４と、ネットワーク接続部１５と、プリント処理部１６と、画像処理部１７と、操作パネル１８と、画像形成部１９と、スキャナ部２０とを備えている。
【００３７】
ＣＰＵ１１は、スキャンジョブ、コピージョブ、メール送信ジョブ、およびプリントジョブなどの各種ジョブについて、画像形成装置１全体の制御を行なう。またＣＰＵ１１は、ＲＯＭ１２に記憶された制御プログラムを実行する。ＣＰＵ１１は、所定の処理を行なうことにより、ＲＡＭ１２、ＲＯＭ１３のデータの読み込みや、ＲＡＭ１２、ＲＯＭ１３へのデータの書き込みを行なう。
【００３８】
ＲＯＭ１２は、ＣＰＵ１１のメインメモリである。ＲＡＭ１２は、ＣＰＵ１１が制御プログラムを実行するときに必要なデータを記憶するためなどに用いられる。
【００３９】
ＲＡＭ１３は、ＣＰＵ１１がプログラムを動作する為に必要なデータや画像データを一時的に記憶する。
【００４０】
ＨＤＤ１４は、ネットワーク接続部１５を介して外部から送られたプリントデータや、スキャナ部２０で読み取った画像データなどを記憶する記憶装置である。またＨＤＤ１４はプレビュー表示特徴情報Ｘ（図５）、プレビュー表示特徴情報Ｙ（図６）、規則性を抽出するためのフィルタ（図１３および図１６）などを記憶する。
【００４１】
ネットワーク接続部１５は、ＣＰＵ１１からの指示に従って、ＴＣＰ／ＩＰなどの通信プロトコルによって、ＬＡＮなどを介して外部機器との通信を行なう。
【００４２】
プリント処理部１６は、原稿画像の印刷処理を行う。
【００４３】
画像処理部１７は、画像データの文字幅の調整やコントラストや配色の変換を行う。
【００４４】
操作パネル１８は、ユーザから画像形成装置１の操作を受け付けたり、ユーザへの各種情報の表示を行ったりするユーザインタフェースである。
【００４５】
画像形成部１９は、おおまかに、トナー像形成部、定着装置、および用紙搬送部などで構成される。画像形成部１９は、たとえば電子写真方式で用紙に画像を形成する。トナー像形成部は、いわゆるタンデム方式で４色の画像を合成し、用紙（記録媒体）にカラー画像を形成可能に構成される。トナー像形成部は、Ｃ（シアン）、Ｍ（マゼンタ）、Ｙ（イエロー）、Ｋ（ブラック）の各色について設けられた感光体と、感光体からトナー像が転写（１次転写）される中間転写ベルトと、中間転写ベルトから用紙に画像を転写（２次転写）する転写部などで構成される。定着装置は、加熱ローラおよび加圧ローラを有する。定着装置は、加熱ローラと加圧ローラとでトナー像が形成された用紙を挟みながら搬送し、その用紙に加熱および加圧を行なう。これにより、定着装置は、用紙に付着したトナーを溶融させて用紙に定着させ、用紙に画像を形成する。用紙搬送部は、給紙ローラ、搬送ローラ、およびそれらを駆動するモータなどで構成されている。用紙搬送部は、用紙を給紙カセットから給紙して、画像形成装置１の筐体の内部で搬送する。また、用紙搬送部は、画像が形成された用紙を画像形成装置１の筐体から排紙トレイなどに排出する。
【００４６】
スキャナ部２０は、原稿の画像を読み取って電子データである画像データに変換する。
【００４７】
本実施の形態における画像形成装置１は、プレビュー表示の対象となる画像の特徴を抽出し、それらの画像をページ毎に順に操作パネル１８にプレビュー表示する。そして画像形成装置１は、プレビュー表示したページの画像の特徴を記憶し、記憶した画像の特徴から規則性を抽出する。さらに画像形成装置１は、操作パネル１８にプレビュー表示しているページの画像の特徴が、抽出した規則性に合致しない場合、合致しない特徴を補正するための補正メニューを表示する。
【００４８】
［画像形成装置のプレビュー表示方法］
【００４９】
次に、本実施の形態における画像形成装置のプレビュー表示方法について説明する。
【００５０】
図２は、図１に示す操作パネルの構成を模式的に示す図である。
【００５１】
図２を参照して，操作パネル１８は、各種設定項目、プレビュー画像、またはメッセージなどを表示し、かつユーザから各種設定を受け付けるタッチパネル３１と、画像形成装置１のスキャナ機能を選択する際に押下されるスキャナキー３２と、画像形成装置１のコピー機能を選択する際に押下されるコピーキー３３と、各機能のジョブの実行指示を受け付けるスタートキー３４と、各種数値の入力を受け付けるテンキー３５とを主に含んでいる。
【００５２】
図３は、スキャナ部が原稿の画像を読み取っている場合の操作パネルの表示状態を模式的に示す図である。
【００５３】
図３を参照して、操作パネル１８において、スキャナ機能またはコピー機能が選択された状態でスタートキー３４が押下されると、画像形成装置１は、スキャンジョブまたはコピージョブを実行する。画像形成装置１は、スキャナ部２０を用いてＡＤＦ（Ａｕｔｏ  Ｄｏｃｕｍｅｎｔ  Ｆｅｅｄｅｒ、図示無し）にセットされた原稿の画像を読み取り、読み取った画像をたとえばＨＤＤ１４に格納する。そして画像形成装置１は、ＨＤＤ１４に格納した画像の特徴を抽出し、抽出した特徴をプレビュー表示特徴情報Ｘ（図５）としてＨＤＤ１４に記憶する。原稿の画像を読み取っている間、操作パネル１８のタッチパネル３１には、たとえば「読み取り中です」という文字と、プレビューキー３６とが表示される。
【００５４】
なお画像形成装置１は、全ての原稿の画像を読み取った後も、プリント実行のためにスタートキー３４が押下されるまで、プレビューキー３６を表示し続けてもよい。
【００５５】
図４は、プレビューボタンが押下された場合の操作パネルの表示状態を模式的に示す図である。
【００５６】
図４を参照して、図３においてプレビューキー３６が押下された場合、画像形成装置１は、画像をページ毎にタッチパネル３１にプレビュー表示する。タッチパネル３１にはプレビュー画像４０と、前ページキー３７と、次ページキー３８とが表示される。
【００５７】
図４に示す表示状態において前ページキー３７が押下された場合には、画像形成装置１は、プレビュー画像４０を現在表示しているページの１ページ前の画像に変更する。図４に示す表示状態において次ページキー３８が押下された場合には、画像形成装置１は、プレビュー画像４０を現在表示しているページの１ページ先の画像に変更する。ユーザは、前ページキー３７または次ページキー３８を押下することにより、順次ページを移動しながら画像を確認することができ、また所望の頁の画像をプレビュー表示することができる。
【００５８】
なお、前ページキー３７および次ページキー３８は、該当するページが無い場合には表示されないようにしてもよい。
【００５９】
図４に示す表示状態において、第１の時間の間、前ページキー３７も次ページキー３８も押下されず、同じページが表示され続けた場合、画像形成装置１は、プレビュー画像から原稿の画像の特徴がユーザによって十分に認識され、画像に異常はないと判断された、と推定する。この場合画像形成装置１は、現在表示しているページの画像の特徴を有効化する。
【００６０】
一方、第１の時間が経過する前にプレビュー画像が他のページの画像に変更された場合、画像形成装置１は、ユーザによってプレビュー画像が十分に確認されていないと推定する。この場合画像形成装置１は、現在表示しているページの画像の特徴を有効化しない。
【００６１】
図４に示す表示状態において、第２の時間の間、前ページキー３７も次ページキー３８も押下されず、同じページが表示され続けた場合、画像形成装置１は、表示され続けている画像に対してモードを設定する（補正を行う）ことをユーザは望んでいると認識する。この場合画像形成装置１は、それまでに表示したページ（最初に表示したページから、現在表示しているページの前に表示したページまで）の画像の特徴であって、有効化された画像の特徴を抽出し、抽出した特徴をプレビュー表示特徴情報Ｙ（図６）としてＨＤＤ１４に記憶する。そして画像形成装置１は、プレビュー表示特徴情報Ｙに登録した特徴から規則性を抽出する。規則性の抽出方法については後述する。
【００６２】
なお、第１の時間は第２の時間よりも長くてもよいし、第２の時間よりも短くてもよい。
【００６３】
続いて画像形成装置１は、現在表示しているページの画像の特徴が、抽出した規則性に合致するか否かを判断する。そして、合致しない特徴がある場合、画像形成装置１はその特徴を補正するための補正メニュー３９をプレビュー画像４０とともにタッチパネル３１に表示する。図４では補正メニュー３９として、「ページの入れ替え」モードと「濃度調整」モードとが、プレビュー画像４０の近傍に表示されている。これにより、一定時間表示されたページの画像に対して、設定されるモードを予測して、多数のモードの中から絞り込んで表示することができ、操作性が向上する。
【００６４】
なお、画像形成装置１による規則性の抽出は、上述のように第２の時間の間同じページが表示され続けた場合に行われる代わりに、第１の時間の間同じページが表示され続けた後（現在表示しているページの画像の特徴を有効化した後）で、前ページキー３７または次ページキー３８が押下された場合に行われてもよい。
【００６５】
また、前ページキー３７および次ページキー３８のような記号を表示する代わりに、タッチパネル３１を通じてフリック入力を受け付けた場合に、プレビュー画像４０を次ページまたは前ページの画像に変更してもよい。
【００６６】
図５は、ＨＤＤが記憶するプレビュー表示特徴情報Ｘを模式的に示す図である。
【００６７】
図５を参照して、プレビュー表示特徴情報Ｘは、たとえばスキャナ部２０から原稿の画像を読み込んだ場合などに、画像形成装置１によって作成される。プレビュー表示特徴情報Ｘでは、表の横方向（行方向）に１つのページの画像についての「カラー」、「向き」、「濃度」、または「ページ番号」などの特徴に関する項目が設けられている。表の縦方向（列方向）には、ページ番号が小さい順に上から下へ各ページの画像の特徴が並べられている。図５のプレビュー表示特徴情報Ｘから、たとえば１ページの画像は、カラーであり、上向きであり、濃度が５であり、「１」というページ番号が付されていることが分かる。
【００６８】
図６は、ＨＤＤが記憶するプレビュー表示特徴情報Ｙを模式的に示す図である。
【００６９】
図６を参照して、プレビュー表示特徴情報Ｙは、たとえば第２の時間の間同じページが表示され続けた場合などに、現在表示しているページの前に表示したページまでの画像の特徴のうち、有効化された画像の特徴に基づいて画像形成装置１によって作成される。プレビュー表示特徴情報Ｙに含まれる各ページの特徴に関する項目は、図５に示すプレビュー表示特徴情報Ｙと同様であるが、有効化されていないページの画像の特徴（図６では３ページ目の画像の特徴）はプレビュー表示特徴情報Ｙには含まれない。有効化されていないページの画像の仕上がり状態は、ユーザによって未だ時間をかけて確認されていないためである。
【００７０】
なお、プレビュー表示した画像がユーザによって補正された場合、補正後の画像の特徴を有効化してプレビュー表示特徴情報Ｙに含めてもよい。
【００７１】
［画像の特徴の性質］
【００７２】
プレビュー表示特徴情報Ｘやプレビュー表示特徴情報Ｙに含まれる画像の特徴を性質によって分類すると、画像の特徴には大きく分けて定性的な特徴、定量的な特徴、または連続値がある。
【００７３】
定性的な特徴とは、画像色（原稿色）や、画像方向（原稿方向）などである。原稿色とは、画像がカラーであるかモノクロであるかという特徴であり、画像方向とは、画像が基準の向きに対して何度（たとえば０度、９０度、１８０度、または２７０度など）傾斜しているかという特徴である。定性的な特徴に関する抽出性を抽出する場合には、全ページに同じ特徴がある場合、Ｎページ（Ｎはたとえば２、４、６、または８などの偶数）毎に同じ特徴がある場合、または連続するＭページに同じ特徴がある場合には、その規則性が抽出される。
【００７４】
定性的な特徴に関して、たとえばＮページの画像毎に同じ特徴がある場合、Ｎページの画像を１ページに集約してその画像を印字したときに、印字した画像における特定の位置のみに同じ特徴（ページ番号や日付）があるという規則性が存在する。Ｎ＝４であれば、４ページの画像を１ページに集約してその画像を印字する場合に、１ページ、５ページ、９ページ・・・の画像に他のページの画像の特徴とは異なる同じ特徴があるという規則性が存在する。また、Ｎ＝２であれば、奇数ページの画像はすべて同じ特徴で偶数ページの画像とは異なる特徴を持つという規則性（たとえば奇数ページと偶数ページとで画像の向きが逆など）が存在する。また、連続する４ページの画像に同じ特徴がある場合には、１〜４ページの画像には同じ特徴があり、連続する４ページ単位で他の４ページの画像とは異なる特徴を持つという規則性が存在する。
【００７５】
定量的な特徴とは、たとえば画像濃度などである。定量的な特徴に関する規則性を抽出する場合には、プレビュー表示特徴情報Ｙに含まれる各ページの画像濃度の数値に基づいて平均値Ａおよび標準偏差ｓを算出する。この場合画像形成装置１は、現在表示しているページの画像濃度が（平均値Ａ±標準偏差ｓ×ｉ（ｉはたとえば画像の特徴に従って設定可能な正数））の範囲に入っているか否かによって、現在表示している頁の画像が抽出した規則性に合致するか否かを判断する。
【００７６】
連続値とは、たとえば各画像に付されたページ番号などである。連続値は連続していることを規則性とする。この場合画像形成装置１は、現在表示しているページのページ番号が他のページと連続しているか否かによって、現在表示している頁の画像が抽出した規則性に合致するか否かを判断する。
【００７７】
［設定可能なモードの種類］
【００７８】
プレビュー表示した画像に対して設定可能なモードは、印刷時に適用可能なモードであり、たとえば色指定モード、回転モード、ページ入れ替えモード、または濃度調整モードなどである。
【００７９】
色指定モードは、特定のページの画像の色に関する特徴が抽出した規則性に合致しない場合に、特定のページの画像の色を指定（変更）するモードである。たとえば、他のページが全てモノクロの画像において、現在プレビュー表示しているページの画像のみがカラーである場合には、画像形成装置１は「モノクロ指定」という色指定モードを補正メニュー３９として表示する。これにより、ユーザが全ての原稿をモノクロ印字したかったにもかかわらずオートカラーで原稿を読み込んだ場合に、部分的にカラーになった画像をモノクロで印字することができる。また、ページ中にカラーの部分が少なく、モノクロ印字しても見栄えが変わらないと判断した場合に、そのページの画像をモノクロ指定することもできる。また、Ｎページの画像を１ページに集約してその画像を印字したときに、印字した画像における１つのページ内はカラーまたはモノクロに統一されているという規則性があった場合において、この規則性に反するページがあったときは、画像形成装置１は「モノクロ指定」という色指定モードを補正メニュー３９として表示する。
【００８０】
回転モードは、特定のページの画像の向きに関する特徴が抽出した規則性に合致しない場合に、特定のページの画像を回転するモードである。たとえば、他のページが全て上向きの画像において、現在プレビュー表示しているページの画像のみが下向きである場合には、画像形成装置１は「１８０度回転」という回転モードを補正メニュー３９として表示する。これにより、ユーザが原稿を読み込む際に１枚の原稿のみを逆にセットした場合に、その原稿の画像の向きを容易に正しい向きに補正することができる。また、前のページまでの画像の向きが上向きと下向きとが交互になっていた場合において、現在プレビュー表示しているページの画像が直前のページの画像の向きと同じ向きであったときは、画像形成装置１は同様に、「１８０度回転」という回転モードを補正メニュー３９として表示する。
【００８１】
なお、画像の向きやページ番号は、たとえば光学文字認識により画像から抽出した文字に基づいて把握することが可能である。
【００８２】
ページ入れ替えモードは、特定のページの画像に付されたページ番号に関する特徴が抽出した規則性に合致しない場合に、特定のページの画像の位置を他の位置に移動するモード（特定のページの画像を入れ替えるモード）である。たとえば、画像の下部または上部にページ番号が付加されている場合に、前のページまでのページ番号が連続になっていて、現在プレビュー表示しているページのページ番号が連続していないときは、画像形成装置１は「ページ入れ替え」モードを補正メニュー３９として表示する。これにより、ユーザが原稿を読み込む際に原稿の順序を間違った場合に、原稿の位置を容易に補正することができる。
【００８３】
濃度調整モードは、特定のページの画像の画像濃度に関する特徴が抽出した規則性に合致しない場合に、特定のページの画像濃度を変更するモードである。たとえば、他のページの画像濃度に比べて現在表示しているページの画像濃度が濃すぎたり薄すぎたりした場合に、画像形成装置１は「濃度調整」モードを補正メニュー３９として表示する。これにより、ユーザは画像の濃度調整を容易に補正することができる。
【００８４】
［画像形成装置の動作を示すフローチャート］
【００８５】
次に、画像形成装置１の動作を示すフローチャートについて説明する。
【００８６】
図７は、本発明の一実施の形態における画像形成装置の動作を示すフローチャートである。
【００８７】
図７を参照して、画像形成装置１のＣＰＵ１１は、画像形成装置１の電源がオンされると、初期化処理を行い（Ｓ１００）、タイマをスタートさせる（Ｓ２００）。次にＣＰＵ１１は、入力処理を行い（Ｓ３００）、全体制御処理を行う（Ｓ４００）。続いてＣＰＵ１１は、読み取り処理を行い（Ｓ５００）、印刷処理を行う（Ｓ６００）。その後ＣＰＵ１１は、タイマの計測時間が所定の時間を経過したかを判別し（Ｓ７００）、所定時間を経過した場合（Ｓ７００でＹＥＳ）、ＣＰＵ１１はステップＳ２００の処理を再び実行する。
【００８８】
図８は、図７のステップＳ３００に示す入力処理のサブルーチンである。
【００８９】
図８を参照して、ステップＳ３００の入力処理において、ＣＰＵ１１は、タッチパネル３１への入力をユーザから受け付けたか否かを判別する（Ｓ３０１）。
【００９０】
ステップＳ３０１において、タッチパネル３１に入力があったと判別した場合（Ｓ３０１でＹＥＳ）、ＣＰＵ１１は、タッチパネル３１における入力された位置の座標を取得し（Ｓ３０２）、取得した位置の座標に応じてタッチパネル入力処理を行い（Ｓ３０３）、リターンする。
【００９１】
ステップＳ３０１において、タッチパネル３１に入力が無いと判別した場合（Ｓ３０１でＮＯ）、ＣＰＵ１１は、現在計時中か否かを判別する（Ｓ３１０）。なお計時は、後述するステップＳ３２４（図９）で開始され、計時している時間は、１つのプレビュー画像がユーザ（オペレータ）に表示されている時間に相当する。
【００９２】
ステップＳ３１０において、計時中であると判別した場合（Ｓ３１０でＹＥＳ）、ＣＰＵ１１は、計時している時間が第１の時間に達したか否かを判別する（Ｓ３１１）。
【００９３】
ステップＳ３１１において、第１の時間に達したと判別した場合（Ｓ３１１でＹＥＳ）、ＣＰＵ１１は、プレビュー表示している画像の特徴を有効化し（Ｓ３１２）、リターンする。
【００９４】
ステップＳ３１１において、第１の時間に達していないと判別した場合（Ｓ３１１でＮＯ）、ＣＰＵ１１は、計時している時間が第２の時間に達したか否かを判別する（Ｓ３１３）。
【００９５】
ステップＳ３１３において、第２の時間に達したと判別した場合（Ｓ３１３でＹＥＳ）、ＣＰＵ１１は、モード設定メニュー表示処理を行い（Ｓ３１４）、リターンする。
【００９６】
ステップＳ３１０において、計時中でないと判別した場合（Ｓ３１０でＮＯ）、またはステップＳ３１３において、第２の時間に達していないと判別した場合（Ｓ３１３でＮＯ）、ＣＰＵ１１はリターンする。
【００９７】
図９は、図８のステップＳ３０３に示すタッチパネル入力処理のサブルーチンである。
【００９８】
図９を参照して、ステップＳ３０３のタッチパネル入力処理において、ＣＰＵ１１は、ユーザから入力を受け付けたのはプレビューキー３６であったか否かを判別する（Ｓ３２１）。
【００９９】
ステップＳ３２１において、プレビューキー３６であった場合（Ｓ３２１でＹＥＳ）、ＣＰＵ１１は表示ページ設定を行い、最初のページをプレビュー表示の対象にして指定する（Ｓ３２２）。次にＣＰＵ１１は、最初のページのプレビュー表示画像を作成し、タッチパネル３１に表示する（Ｓ３２３）。続いてＣＰＵ１１は、計時を開始し（Ｓ３２４）、リターンする。
【０１００】
ステップＳ３２１において、プレビューキーでなかった場合（Ｓ３２１でＮＯ）、ＣＰＵ１１は、ユーザから入力を受け付けたのは次ページキー３８であったか否かを判別する（Ｓ３３１）。
【０１０１】
ステップＳ３３１において、次ページキー３８であった場合（Ｓ３３１でＹＥＳ）、ＣＰＵ１１は、特徴を記憶するかどうかを判断するために、現在表示しているプレビュー画像４０の特徴が有効になっているか否かを判別する（Ｓ３３２）。
【０１０２】
ステップＳ３３２において、特徴が有効になっていると判別した場合（Ｓ３３２でＹＥＳ）、ＣＰＵ１１は、画像から抽出された特徴がユーザによって確認されたものと判断する。この場合ＣＰＵ１１は、その特徴を図６に示すプレビュー表示特徴情報Ｙに記憶し（Ｓ３３３）、ステップＳ３３４の処理へ進む。ステップＳ３３２において、特徴が有効になっていないと判別した場合（Ｓ３３２でＮＯ）、ＣＰＵ１１は、ステップＳ３３４の処理へ進む。
【０１０３】
ステップＳ３３４において、ＣＰＵ１１は表示ページ設定を行い、次のページをプレビュー表示の対象にして指定する（Ｓ３３４）。次にＣＰＵ１１は、次のページのプレビュー表示画像を作成し、タッチパネル３１に表示する（Ｓ３３５）。続いてＣＰＵ１１は、計時を開始し（Ｓ３３６）、リターンする。
【０１０４】
ステップＳ３３１において、次ページキー３８でなかった場合（Ｓ３３１でＮＯ）、ＣＰＵ１１は、入力されたキーに従ってその他のキー入力処理を行い（Ｓ３４０）、リターンする。ステップＳ３４０において、たとえば補正メニュー３９からのモードの設定をユーザから受け付けた場合には、ＣＰＵ１１は設定されたモードに従ってプレビュー表示した画像を補正する。
【０１０５】
続いて、図８のステップＳ３１４に示すモード設定メニュー表示処理について説明する。
【０１０６】
図１０は、ＨＤＤが記憶する特徴定義テーブルを模式的に示す図である。
【０１０７】
図１０を参照して、モード設定メニュー表示処理を実行する際、画像形成装置１は、特徴定義テーブルに登録された特徴に関する規則性を抽出する。特徴定義テーブルでは、表の横方向（行方向）に、１つの番号（ｎ）に対して、特徴の名称（種類）および特徴の性質（定性値、定量値、または連続値）が定義されている。表の縦方向（列方向）には、番号（ｎ）が小さい順に上から下へ並べられている。
【０１０８】
番号０には画像の色（原稿の色）に関する特徴が定義されており、この特徴は定性値（カラーまたはブラック）であることが分かる。番号１には画像の向き（原稿の向き）に関する特徴が定義されており、この特徴は定性値（上下左右）であることが分かる。
番号２には画像の濃度に関する特徴が定義されており、この特徴は定性値（たとえば１〜１０の範囲の値）であることが分かる。番号３にはページ番号に関する特徴が定義されており、この特徴は連続値（連続した整数）であることが分かる。
【０１０９】
特徴定義テーブルは、画像形成装置１の初期情報として、プレビュー表示処理の実行前にＨＤＤ１４に登録されている。特徴定義テーブルは、プレビュー表示処理に関するプログラムの一部としてＲＯＭ１２に記憶されていてもよい。
【０１１０】
図１１は、図８のステップＳ３１４に示すモード設定メニュー表示処理のサブルーチンである。画像形成装置１は、複数の特徴に関するページ間での規則性の有無を判断するために、後述するように様々なフィルタを用いてページ間の特徴を比較し、規則性を抽出する。
【０１１１】
図１１を参照して、ステップＳ３１４のモード設定メニュー表示処理において、ＣＰＵ１１は、変数ｎを０に設定（変数ｎを初期化）し（Ｓ３５１）、図１０に示す特徴定義テーブルに第（ｎ）の特徴があるか否かを判別する（Ｓ３５２）。
【０１１２】
ステップＳ３５２において、第（ｎ）の特徴があると判別した場合（Ｓ３５２でＹＥＳ）、ＣＰＵ１１は、規則性抽出処理を行い（Ｓ３５３）、第（ｎ）の特徴に関する規則性を抽出する。続いてＣＰＵ１１は、規則性抽出処理を行った特徴に関して規則性があったか否かを判別する（Ｓ３５４）。
【０１１３】
ステップＳ３５４において、規則性があったと判別した場合（Ｓ３５４でＹＥＳ）、現在表示しているページの画像の特徴がどうあるべきかの情報が得られている状態にある。この場合ＣＰＵ１１は、現在表示しているページの画像の第（ｎ）の特徴が、その規則性に合致しているか否かを判別する（Ｓ３５５）。
【０１１４】
ステップＳ３５５において、合致していないと判別した場合（Ｓ３５５でＮＯ）、ＣＰＵ１１は、合致していない特徴を補正するためのモードを補正メニュー３９に追加し（Ｓ３５６）、変数ｎをインクリメントし（Ｓ３５７）、ステップＳ３５２の処理へ進む。
【０１１５】
ステップＳ３５４において、規則性が無かったと判別した場合（Ｓ３５４でＮＯ）、またはステップＳ３５５において、合致していると判別した場合（Ｓ３５５でＹＥＳ）。ＣＰＵ１１は、モードを補正メニュー３９に追加せずにステップＳ３５７の処理へ進む。
【０１１６】
ステップＳ３５２において、第（ｎ）の特徴が無いと判別した場合（Ｓ３５２でＮＯ）、図１０に示す特徴定義テーブルに登録されている全ての特徴に関する規則性抽出処理が終了している。この場合ＣＰＵ１１は、これまでの規則性抽出の結果から、補正メニューに追加されたモードがあるか否かを判別する（Ｓ３６１）。
【０１１７】
ステップＳ３６１において、補正メニューに追加されたモードがあると判別した場合（Ｓ３６１でＹＥＳ）、ＣＰＵ１１は、タッチパネル３１に補正メニュー３９を表示し（Ｓ３６２）、リターンする。
【０１１８】
ステップＳ３６１において、補正メニューに追加されたモードが無いと判別した場合（Ｓ３６１でＮＯ）、ＣＰＵ１１は、補正メニュー３９を表示せずにリターンする。
【０１１９】
上述の方法によれば、画像の特徴からページ間の規則性を見つけ、現在表示している画像がどのような特徴を持つべきかを判断した上で、補正メニューとして適切なモードのみを表示するため、不要に多くのモード設定を表示する必要が無くなり、ユーザは操作を迅速に行うことができる。
【０１２０】
図１２は、図１１のステップＳ３５３に示す規則性抽出処理のサブルーチンである。
【０１２１】
図１２を参照して、ステップＳ３５３の規則性抽出処理において、ＣＰＵ１１は、図１０に示す特徴定義テーブルから第（ｎ）の特徴を取得し（Ｓ３７０）、その特徴の性質が何であるかを判別する（Ｓ３７１）。
【０１２２】
ステップＳ３７１において、取得した特徴の性質が定性値であると判別した場合（Ｓ３７１で「定性値」）、ＣＰＵ１１は図１４に示す定性値処理を行い（Ｓ３７２）、リターンする。ステップＳ３７１において、取得した特徴の性質が定量値であると判別した場合（Ｓ３７１で「定量値」）、ＣＰＵ１１は図１５に示す定量値処理を行い（Ｓ３７３）、リターンする。ステップＳ３７１において、取得した特徴の性質が連続値であると判別した場合（Ｓ３７１で「連続値」）、ＣＰＵ１１は図１７に示す連続値処理を行い（Ｓ３７４）、リターンする。
【０１２３】
次に、図１２のステップＳ３７２に示す定性値処理について説明する。定性値処理は、特徴の性質が定性値である場合の規則性抽出の処理である。
【０１２４】
図１３は、定性値から規則性を抽出するフィルタ（以下、定性値フィルタと呼ぶことがある）を模式的に示す図である。定性値フィルタは、画像形成装置１の初期情報として、プレビュー表示処理の実行前にＨＤＤ１４に登録されている。定性値フィルタは、プレビュー表示処理に関するプログラムの一部としてＲＯＭ１２に記憶されていてもよい。
【０１２５】
図１３を参照して、定性値処理を実行する際、画像形成装置１は定性値フィルタを用いて規則性を抽出する。定性値フィルタでは、表の横方向（行方向）に、１つの番号（ｍ）に対して、フィルタの内容が定義されている。表の縦方向（列方向）には、番号（ｍ）が小さい順に上から下へ並べられている。
【０１２６】
第０フィルタには全てのページで同じ値を持つというフィルタが定義されており、第１フィルタには連続した２ページが同じ値を持つというフィルタが定義されており、第２フィルタには連続した４ページが同じ値を持つというフィルタが定義されており、第３フィルタには連続した８ページが同じ値を持つというフィルタが定義されている。第４フィルタには２ページ毎に同じ値を持つことが定義されており、第５フィルタには４ページ毎に同じ値を持つことが定義されており、第６フィルタには８ページ毎に同じ値を持つことが定義されている。定性値フィルタは、これら以外にも、Ｎ（Ｎは自然数）ページ毎に同じ値を持つことが定義されたフィルタや、連続したＭ（Ｍは自然数）ページで同じ特徴を持つことが定義されたフィルタを有していてもよい。
【０１２７】
第０フィルタによれば、たとえば、全ての原稿の向きが一致しているという規則性を抽出することができる。ユーザがＡＤＦに原稿をセットする際に、特定のページの原稿だけを逆さまでセットしたときは、第０フィルタを用いて原稿の向きの規則性が抽出され、抽出された規則性に基づいて、規則性に合致しない逆さまの原稿のページが検出される。これによりユーザは、逆さまのページの画像をプレビューした際に表示された補正メニュー３９から回転モードを設定することにより、逆さまのページの画像を回転させることができる。この例の他にも、第０フィルタを用いた場合には、特定のページだけがカラーになっている場合に、そのページを検出することができる。
【０１２８】
第１フィルタによれば、たとえば、１ページおよび２ページで同じ値を持ち、かつ３ページおよび４ページで同じ値を持つという規則性を抽出することができる。たとえば１ページおよび２ページの画像がいずれもカラー画像であり、かつ３ページおよび４ページの画像がいずれもブラックのみの画像である場合に、第１フィルタを用いて画像の色に関する規則性を抽出することができる。
【０１２９】
特に第１フィルタによれば、２ページ分の画像を１ページに集約して印字するモードをユーザが利用する場合において、集約した１ページ内の規則性を抽出することができる。たとえば、１ページおよび３ページの画像がいずれもカラー画像であり、２ページおよび４ページがいずれもブラックのみの画像あるときを想定する。このとき、そのまま印刷した場合には、集約したページが２ページともカラーで印刷され、２ページ分のカラー印刷の料金がユーザは課金される。しかし、仮に１ページおよび２ページを集約したページをブラックのみの画像に修正し、３ページおよび４ページを集約したページをカラー画像に修正すれば、カラー印刷の料金が課金されるのは１ページだけすみ、印刷料金の節約が可能である。第１フィルタを用いて規則性を検出することにより、上述のように集約した１ページ内での画像の色が統一されるように画像を補正することができる。
【０１３０】
第２フィルタおよび第３フィルタは、第１フィルタと同様に、４ページ分の画像または８ページ分の画像を１ページに集約して印字するモードをユーザが利用する場合に、集約した１ページ内の規則性を抽出することができる。
【０１３１】
第４フィルタによれば、偶数ページ間で同一の特徴または奇数ページ間で同一の特徴を抽出することができる。たとえば、奇数ページの画像は上向きで偶数ページの画像は下向きであるという規則性を抽出した場合、この画像を印刷する際には上綴じの両面印刷が行なわれる。しかし、ユーザがＡＤＦに原稿をセットする際に、特定のページの原稿だけを逆さまでセットしたときは、第４フィルタを用いて原稿の向きの規則性が抽出され、抽出された規則性に基づいて、規則性に合致しない逆さまの原稿のページが検出される。これによりユーザは、逆さまのページの画像をプレビューした際に表示された補正メニュー３９から回転モードを設定することにより、逆さまのページの画像を回転させることができる。
【０１３２】
図１４は、図１２のステップＳ３７２に示す定性値処理のサブルーチンである。
【０１３３】
図１４を参照して、ステップＳ３７２の定性値処理において、ＣＰＵ１１は、変数ｍを０に設定（変数ｍを初期化）し（Ｓ３７５）、図１３に示す定性値フィルタに第（ｍ）フィルタがあるか否かを判別する（Ｓ３７６）。
【０１３４】
ステップＳ３７６において、第（ｍ）フィルタがあると判別した場合（Ｓ３７６でＹＥＳ）、ＣＰＵ１１は、プレビュー表示特徴情報Ｙに対して第（ｍ）フィルタを適用し、（Ｓ３７７）、第（ｍ）フィルタを適用した場合に規則性があるか否かを判別する（Ｓ３７８）。一方、ステップＳ３７６において、第（ｍ）フィルタが無いと判別した場合（Ｓ３７６でＮＯ）、図１３に示す定性値フィルタにおける全てのフィルタを適用し終えた状態にある。この場合、ＣＰＵ１１はリターンする。
【０１３５】
ステップＳ３７８における規則性の有無の判別は、プレビュー表示特徴情報Ｙに登録されたページ中のフィルタの単位の倍数までのページから判断する。たとえば第２フィルタを用いた場合には、２ページ、４ページ、６ページ、・・・といった２の倍数にあたるページまでの中での規則性の有無を判別する。
【０１３６】
ステップＳ３７８において、規則性があると判別した場合（Ｓ３７８でＹＥＳ）、ＣＰＵ１１はその規則性を登録し（Ｓ３７９）、リターンする。
【０１３７】
ステップＳ３７８において、規則性があると判別した場合、画像形成装置１は表示しているページの画像の特徴を推定することができる。たとえば第０フィルタを用いた場合には、表示しているページの画像が前のページの画像と同じ特徴であると推定される。第１フィルタを用いた場合において、表示しているページが２の倍数であるときは、表示しているページの画像がその前のページの画像と同じ特徴であると推定される。第２フィルタを用いた場合において、表示しているページが（４の倍数＋２）、（４の倍数＋３）または４の倍数であるときは、表示しているページの画像の特徴がその前のページと同じ特徴であると推定される。第３フィルタを用いた場合にも、第１フィルタまたは第２フィルタを用いた場合と同様に、表示している画像の特徴が推定される。第４フィルタを用いた場合には、表示しているページの画像が２ページ前の画像と同じ特徴であると推定される。第５フィルタを用いた場合には、表示しているページの画像が４ページ前の画像と同じ特徴であると推定される。第６フィルタを用いた場合には、表示しているページの画像が８ページ前の画像と同じ特徴であると推定される。
【０１３８】
ステップＳ３７９においては、表示しているページの画像の特徴が、上述の推定される特徴と合致しなかった場合に、その画像を補正するためのモードを規則性としてたとえばＨＤＤ１４に登録しておくことが好ましい。具体的には、図１０に示す特徴定義テーブルにおける番号０の特徴であれば、「モノクロ指定」モードまたは「カラー指定」モードが登録される。番号１の特徴であれば、「回転指定」モードが登録される。
【０１３９】
ステップＳ３７８において、規則性が無いと判別した場合（Ｓ３７８でＮＯ）、ＣＰＵ１１は変数ｍをインクリメントし（Ｓ３８０）、ステップＳ３７６へ進み、次のフィルタで規則性を判断する。
【０１４０】
次に、図１２のステップＳ３７３に示す定量値処理について説明する。定量値処理は、特徴の性質が定量値である場合の規則性抽出の処理である。
【０１４１】
図１５は、図１２のステップＳ３７３に示す定量値処理のサブルーチンである。
【０１４２】
図１５を参照して、ステップＳ３７３の定量値処理において、ＣＰＵ１１は、プレビュー表示特徴情報Ｙの定量値の特徴から平均値と標準偏差を計算し（Ｓ３８１）、規則性を登録する（Ｓ３８２）。定量値が画像濃度である場合、ステップＳ３８２においてＣＰＵ１１は、画像の濃度の平均値と標準偏差とに基づいて、表示している画像が許容される濃度の範囲を規則性として登録する。たとえばＣＰＵ１１は、（平均値Ａ±標準偏差ｓ×ｉ（ｉは正数であり、たとえば３）という濃度の範囲を規則性として登録し、「濃度調整」モードを登録する。これによりユーザは、濃度が所定の濃度の範囲より高すぎたり低すぎたりする画像に対して補正メニュー３９から濃度調整を行い、印字される濃度が均一になるようにすることができる。
【０１４３】
次に、図１２のステップＳ３７４に示す連続値処理について説明する。連続値処理は、特徴の性質が連続値である場合の規則性抽出の処理である。
【０１４４】
図１６は、数値から規則性を抽出するフィルタ（以下、数値フィルタと呼ぶことがある）を模式的に示す図である。数値フィルタは、画像形成装置１の初期情報として、プレビュー表示処理の実行前にＨＤＤ１４に登録されている。数値フィルタは、プレビュー表示処理に関するプログラムの一部としてＲＯＭ１２に記憶されていてもよい。
【０１４５】
図１６を参照して、連続値処理を実行する際、画像形成装置１は数値フィルタを用いて規則性を抽出する。
【０１４６】
図１６を参照して、連続値処理を実行する際、画像形成装置１は、図１５の数値フィルタを用いて規則性を抽出する。数値フィルタでは、表の横方向（行方向）に、１つの番号（ｋ）に対して、フィルタの内容が定義されている。表の縦方向（列方向）には、番号（ｋ）が小さい順に上から下へ並べられている。
【０１４７】
第０フィルタには１ページ毎に連続値を持つというフィルタが定義されており、第１フィルタには２ページ毎に連続値を持つというフィルタが定義されており、第２フィルタには４ページ毎に連続値を持つというフィルタが定義されており、第３フィルタには８ページ毎に連続値を持つというフィルタが定義されている。
【０１４８】
たとえば、画像（原稿）にページ番号が付されている場合を想定する。この場合、第０フィルタによれば、全てのページにページ番号が付されており、これらのページ番号が連続しているという規則性を抽出することができる。第１フィルタによれば、２ページ毎にページ番号が付されており、これらのページ番号が連続しているという規則性を抽出することができる。第２フィルタによれば、４ページ毎にページ番号が付されており、これらのページ番号が連続しているという規則性を抽出することができる。第３フィルタによれば、８ページ毎にページ番号が付されており、これらのページ番号が連続しているという規則性を抽出することができる。
【０１４９】
たとえば、読み取った原稿におけるそれぞれのページに連続したページ番号が付されている場合に、これらの原稿の画像に第０フィルタを適用したときには、ページ番号が連続しているという規則性が抽出される。このとき、誤って一部のページが入れ替わった状態で原稿をＡＤＦにセットして読み込んだ場合には、特定のページでページ番号が連続しなくなり、規則性に合致しないと判別される。この場合補正メニュー３９には「ページの入れ替え」モードが追加され、ユーザはこのモードを設定することで画像を補正することができる。
【０１５０】
第１フィルタによれば、２ページ分の画像を１ページに集約して印字するモードをユーザが利用する場合において、集約した１ページ内の特定部分にページ番号が付されているという規則性を抽出することができる。より具体的には原稿の奇数ページにページ番号が記載され、これらのページ番号が連続していれば、これらのページ番号の規則性を抽出することができる。第２フィルタおよび第３フィルタも、第１のフィルタと同様の規則性を抽出するのに用いられる。
【０１５１】
図１７は、図１２のステップＳ３７４に示す連続値処理のサブルーチンである。
【０１５２】
図１７を参照して、ステップＳ３７４の連続値処理において、ＣＰＵ１１は、変数ｋを０に設定（変数ｋを初期化）し（Ｓ３９１）、図１６に示す数値フィルタに第（ｋ）フィルタがあるか否かを判別する（Ｓ３９２）。
【０１５３】
ステップＳ３９２において、第（ｋ）フィルタがあると判別した場合（Ｓ３９２でＹＥＳ）、ＣＰＵ１１は、プレビュー表示特徴情報Ｙに対して第（ｋ）フィルタを適用し（Ｓ３９３）、第（ｋ）フィルタを適用した場合に規則性があるか否かを判別する（Ｓ３９４）。一方、ステップＳ３９２において、第（ｋ）フィルタが無いと判別した場合（Ｓ３９２でＮＯ）、図１６に示す定性値フィルタに登録された全てのフィルタを適用し終えた状態にある。この場合、ＣＰＵ１１はリターンする。
【０１５４】
ステップＳ３９４における規則性の有無の判別は、具体的には以下の方法で行う。たとえば第２フィルタを用いた場合において、現在表示しているページの画像が奇数ページであるときは、特徴が登録された奇数ページ同士の間で数値が連続しているかを否かに基づいて規則性の有無を判別する。現在表示しているページの画像が偶数ページであるときは、特徴が登録された偶数ページ同士の間で数値が連続しているか否かに基づいて規則性の有無を判別する。
【０１５５】
また、第３フィルタを用いた場合において、現在表示しているページの画像が（４の倍数＋１）のページであれば、特徴が登録された（４の倍数＋１）のページ（具体的には１ページ、５ページ、９ページ、・・・）毎に数値が連続しているか否かに基づいて規則性の有無を判断する。現在表示しているページの画像が（４の倍数＋２）のページであれば、特徴が登録された（４の倍数＋２）のページ（具体的には２ページ、６ページ、１０ページ、・・・）毎に数値が連続しているか否かに基づいて規則性の有無を判断する。現在表示しているページの画像が（４の倍数＋３）のページであれば、特徴が登録された（４の倍数＋３）のページ（具体的には３ページ、７ページ、１１ページ、・・・）毎に数値が連続しているか否かに基づいて規則性の有無を判断する。現在表示しているページの画像が４の倍数のページであれば、特徴が登録された４の倍数のページ（具体的には４ページ、８ページ、１２ページ、・・・）毎に数値が連続しているか否かに基づいて規則性の有無を判断する。
【０１５６】
ステップＳ３９４において、規則性があると判別した場合（Ｓ３９４でＹＥＳ）、ＣＰＵ１１はその規則性を登録し（Ｓ３９５）、リターンする。
【０１５７】
ステップＳ３９４において、規則性があると判別した場合には、画像形成装置１は表示しているページの画像の特徴を推定することができる。たとえば第０フィルタを用いた場合には、表示しているページの画像が前のページの画像から連続した数値を持つと推定される。第１フィルタを用いた場合には、表示しているページの画像が２ページ前の画像から連続した値を持つと推定される。第２フィルタを用いた場合には、表示しているページの画像が４ページ前の画像から連続した値を持つと推定される。第３フィルタを用いた場合には、表示しているページの画像が８ページ前の画像から連続した値を持つと推定される。
【０１５８】
ステップＳ３９５においては、表示しているページの画像の特徴が、上述の推定される特徴と合致しなかった場合に、その画像を補正するためのモードを規則性としてたとえばＨＤＤ１４に登録しておくことが好ましい。具体的には、図１０に示す特徴定義テーブルにおける番号３の特徴であれば、「ページ入れ替え」モードが登録される。
【０１５９】
ステップＳ３９４において、規則性が無いと判別した場合（Ｓ３９４でＮＯ）、ＣＰＵ１１は変数ｋをインクリメントして（Ｓ３９６）、ステップＳ３９２へ進み、次のフィルタで規則性を判断する。
【０１６０】
図１８は、図７のステップＳ５００に示す読み取り処理のサブルーチンである。
【０１６１】
図１８を参照して、ステップＳ５００の読み取り処理において、ＣＰＵ１１は、全体制御部（全体制御処理）から読み取り開始の指示を受け付けたか否かを判別する（Ｓ５０１）。
【０１６２】
ステップＳ５０１において、スタート要求を受け付けたと判別した場合（Ｓ５０１でＹＥＳ）、ＣＰＵ１１は、ＡＤＦにセットされた原稿の読み取りを開始し（Ｓ５０２）、画像形成装置１のステータスを読み取り中（図３の状態）とし（Ｓ５０３）、リターンする。
【０１６３】
ステップＳ５０１において、スタート要求を受け付けないと判別した場合（Ｓ５０１でＮＯ）、ＣＰＵ１１は、スキャナ部２０が原稿の画像の読み取り中か否かを判別し（Ｓ５１１）、読み取り中であると判別した場合（Ｓ５１１でＹＥＳ）、１ページ分の原稿の画像を読み取ったか否かを判別する（Ｓ５１２）。
【０１６４】
ステップＳ５１２において、１ページ分の原稿の画像を読み取ったと判別した場合（Ｓ５１２でＹＥＳ）、ＣＰＵ１１は特徴抽出処理を行い、抽出した特徴に基づいて図５に示すプレビュー表示特徴情報Ｘを作成する（Ｓ５１３）。続いてＣＰＵ１１は、原稿の全ページの画像の読み取りが終了したか否かを判別する（Ｓ５１４）。
【０１６５】
ステップＳ５１４において、読み取りが終了したと判別した場合（Ｓ５１４でＹＥＳ）、ＣＰＵ１１は画像形成装置１のステータスを待機中（図４の状態）とし（Ｓ５１５）、リターンする。
【０１６６】
ステップＳ５１１において、読み取り中でないと判別した場合（Ｓ５１１でＮＯ）、ステップＳ５１２において、１ページ分の原稿の画像を未だ読み取っていないと判別した場合（Ｓ５１２でＮＯ）、またはステップＳ５１４において、読み取りが未だ終了していないと判別した場合（Ｓ５１４でＮＯ）、ＣＰＵ１１は特徴抽出処理を行なわずにリターンする。
【０１６７】
図１９は、図１８に示すステップＳ５１３に示す特徴抽出処理のサブルーチンである。
【０１６８】
図１９を参照して、ステップＳ５１３の特徴抽出処理において、ＣＰＵ１１は、読み取った原稿の画像に対して文字判別処理を行う（Ｓ５２１）。次にＣＰＵ１１は、文字判別処理によって認識した文字に基づいて原稿の向きが判別可能か否かを判別する（Ｓ５２２）。
【０１６９】
ステップＳ５２２において、原稿の画像の向きが判別可能であると判別した場合（Ｓ５２２でＹＥＳ）、ＣＰＵ１１は、判別した画像の向きを特徴としてプレビュー表示特徴情報Ｘに登録し（Ｓ５２３）、ステップＳ５２４の処理へ進む。一方、ステップＳ５２２において、原稿の画像の向きが判別不可能であると判別した場合（Ｓ５２２でＮＯ）、ＣＰＵ１１は、画像の向きを登録せずにステップＳ５２４の処理へ進む。
【０１７０】
ステップＳ５２４において、ＣＰＵ１１は、画像にページ番号が付されているか否かを判別する（Ｓ５２４）。ステップＳ５２４において、ページ番号が付されていると判別した場合（Ｓ５２４でＹＥＳ）、そのページ番号を特徴としてプレビュー表示特徴情報Ｘに登録し（Ｓ５２５）、ステップＳ５２６の処理へ進む。一方、ステップＳ５２４において、ページ番号が付されていると判別した場合（Ｓ５２４でＮＯ）、ＣＰＵ１１は、ページ番号を登録せずにステップＳ５２６の処理へ進む。
【０１７１】
ステップＳ５２６において、ＣＰＵ１１は、原稿の画像の濃度判別処理を行い（Ｓ５２６）、得られた画像濃度を特徴としてプレビュー表示特徴情報Ｘに登録する（Ｓ５２７）。続いてＣＰＵ１１は、原稿の画像の色判別処理を行い（Ｓ５２８）、得られた画像のカラー情報を特徴としてプレビュー表示特徴情報Ｘに登録し（Ｓ５２９）、リターンする。
【０１７２】
［第１の変型例］
【０１７３】
続いて、上述の画像形成装置の動作の第１の変型例について説明する。
【０１７４】
第１の変型例においては、第１の時間の間同じページが表示され続けた場合に現在表示しているページの画像の特徴を有効化する代わりに、ＯＫキーが押下された場合に、現在表示しているページの画像の特徴をプレビュー表示特徴情報Ｙに記憶する点において、上述の画像形成装置１の動作とは異なっている。
【０１７５】
図２０は、第１の変型例における、プレビューボタンが押下された場合の操作パネルの表示状態を模式的に示す図である。
【０１７６】
図２０を参照して、図３においてプレビューキー３６が押下された場合、画像形成装置１は、ＯＫキー４１をタッチパネル３１にさらに表示する。
【０１７７】
図２０に示す表示状態においてＯＫキー４１が押下された場合、画像形成装置１は、ユーザによってプレビュー画像から原稿の特徴が十分に認識され、ユーザによって画像に異常はないと判断された（画像が承認された）、と判断する。この場合画像形成装置１は、現在表示しているページの画像の特徴をプレビュー表示特徴情報Ｙに登録し、プレビュー画像４０を現在表示しているページの１ページ先の画像に変更する。なお、ＯＫキー４１の押下以外の方法でユーザからの画像の承認を受け付けてもよい。
【０１７８】
図２１は、第１の変型例における図７のステップＳ３００に示す入力処理のサブルーチンである。
【０１７９】
図２１を参照して、第１の変型例におけるステップＳ３００の入力処理において、ＣＰＵ１１は、タッチパネル３１への入力をユーザから受け付けたか否かを判別する（Ｓ８０１）。
【０１８０】
ステップＳ８０１において、タッチパネル３１に入力があったと判別した場合（Ｓ８０１でＹＥＳ）、ＣＰＵ１１は、タッチパネル３１における入力された位置の座標を取得し（Ｓ８０２）、取得した位置の座標に応じてタッチパネル入力処理を行い（Ｓ８０３）、リターンする。
【０１８１】
ステップＳ８０１において、タッチパネル３１に入力が無いと判別した場合（Ｓ８０１でＮＯ）、ＣＰＵ１１は、現在計時中か否かを判別する（Ｓ８０４）。
【０１８２】
ステップＳ８０４において、計時中であると判別した場合（Ｓ８０４でＹＥＳ）、ＣＰＵ１１は、計時している時間が所定時間に達したか否かを判別する（Ｓ８０５）。
【０１８３】
ステップＳ８０５において、所定時間に達したと判別した場合（Ｓ８０５でＹＥＳ）、ＣＰＵ１１は、モード設定メニュー表示処理を行い（Ｓ８０６）、リターンする。ステップＳ８０６のモード設定メニュー表示処理では、ＣＰＵ１１は、図１１に示すモード設定メニュー表示処理のサブルーチンを実行する。
【０１８４】
ステップＳ８０４において、計時中でないと判別した場合（Ｓ８０４でＮＯ）、またはステップＳ８０５において、所定時間に達していないと判別した場合（Ｓ８０５でＮＯ）、ＣＰＵ１１はリターンする。
【０１８５】
図２２は、図２１のステップＳ８０３に示すタッチパネル入力処理のサブルーチンである。
【０１８６】
図２２を参照して、ステップＳ８０３のタッチパネル入力処理において、ＣＰＵ１１は、ユーザから入力を受け付けたのはプレビューキー３６であったか否かを判別する（Ｓ８２１）。
【０１８７】
ステップＳ８２１において、プレビューキー３６であった場合（Ｓ８２１でＹＥＳ）、ＣＰＵ１１は表示ページ設定を行い、最初のページをプレビュー表示の対象にして指定する（Ｓ８２２）。次にＣＰＵ１１は、最初のページのプレビュー表示画像を作成し、タッチパネル３１に表示する（Ｓ８２３）。続いてＣＰＵ１１は、計時を開始し（Ｓ８２４）、リターンする。
【０１８８】
ステップＳ８２１において、プレビューキーでなかった場合（Ｓ８２１でＮＯ）、ＣＰＵ１１は、ユーザから入力を受け付けたのはＯＫキー４１であったか否かを判別する（Ｓ８３１）。
【０１８９】
ステップＳ８３１において、ＯＫキー４１であった場合（Ｓ８３１でＹＥＳ）、ＣＰＵ１１は、画像から抽出された特徴がユーザによって承認されたものと判断する。この場合ＣＰＵ１１は、その特徴を図６に示すプレビュー表示特徴情報Ｙに記憶し（Ｓ８３２）、ステップＳ８３３の処理へ進む。
【０１９０】
ステップＳ８３３において、ＣＰＵ１１は表示ページ設定を行い、ユーザの押下したキーに従ったページをプレビュー表示の対象にして指定する（Ｓ８３３）。次にＣＰＵ１１は、指定したページのプレビュー表示画像を作成し、タッチパネル３１に表示する（Ｓ８３４）。続いてＣＰＵ１１は、計時を開始し（Ｓ８３５）、リターンする。
【０１９１】
ステップＳ８３１において、ＯＫキー４１でなかった場合（Ｓ８３１でＮＯ）、ＣＰＵ１１は、ユーザから入力を受け付けたのは前ページキー３７または次ページキー３８であったか否かを判別する（Ｓ８４１）。
【０１９２】
ステップＳ８４１において、前ページキー３７または次ページキー３８であった場合（Ｓ８４１でＹＥＳ）、ＣＰＵ１１はステップＳ８３３の処理へ進み、ユーザの押下したキーに従ったページをプレビュー表示の対象にして指定する。この場合にはユーザが画像の確認を行なわずにページを変更したと判断し、ＣＰＵ１１は原稿の特徴を記憶しない。
【０１９３】
ステップＳ８４１において、前ページキー３７または次ページキー３８でなかった場合（Ｓ８４１でＮＯ）、ＣＰＵ１１は、入力されたキーに従ってその他のキー入力処理を行い（Ｓ８５１）、リターンする。ステップＳ８５１において、たとえば補正メニュー３９からのモードの設定をユーザから受け付けた場合には、ＣＰＵ１１は設定されたモードに従ってプレビュー表示した画像を補正する。
【０１９４】
［第２の変型例］
【０１９５】
続いて、上述の画像形成装置の動作の第２の変型例について説明する。
【０１９６】
第２の変型例では、上述の画像形成装置の動作を簡略化した場合について説明する。画像形成装置の構成は、上述の画像形成装置の構成と同じであるため、個々ではその説明を繰り返さない。
【０１９７】
図２３は、第２の変型例における画像形成装置の動作を示すフローチャートである。
【０１９８】
図２３を参照して、スキャンジョブまたはコピージョブの実行指示を受け付けると、ＣＰＵ１１は、ＡＤＦにセットされた全ての原稿の画像の読み取りを行い（Ｓ１００１）、読み取った原稿の画像から特徴を抽出し、それらの特徴をプレビュー表示特徴情報Ｘに登録する（Ｓ１００２）。次にＣＰＵ１１は、ユーザからの指示に従ってプレビュー表示を開始し、１ページ目の画像をプレビュー表示する（Ｓ１００３）とともに、画像がユーザに対して表示されている時間の計時を開始する（Ｓ１００４）。続いてＣＰＵ１１は、次ページキー３８が押下されたか否かを判別する（Ｓ１００５）。
【０１９９】
ステップＳ１００５において、次ページキー３８が押下されたと判別した場合（Ｓ１００５でＹＥＳ）、ＣＰＵ１１は次ページがあるか否かを判別する（Ｓ１００６）。
【０２００】
ステップＳ１００６において、次ページがあると判別した場合（Ｓ１００６でＹＥＳ）、ＣＰＵ１１はタッチパネル３１に次のページの画像を表示し（Ｓ１００７）、ステップＳ１００４の処理へ進み、計時を開始する。一方、ステップＳ１００６において、次ページが無いと判別した場合（Ｓ１００６でＮＯ）、ＣＰＵ１１は処理を終了する。
【０２０１】
ステップＳ１００５において、次ページキー３８が押下されないと判別した場合（Ｓ１００５でＮＯ）、ＣＰＵ１１は、計時している時間が第１の時間に達したか否かを判別する（Ｓ１０１０）。
【０２０２】
ステップＳ１０１０において、第１の時間に達したと判別した場合（Ｓ１０１０でＹＥＳ）、ＣＰＵ１１は、プレビュー表示している画像の特徴を有効化し、有効化した特徴をプレビュー表示特徴情報Ｙに登録し（Ｓ１０１１）、ステップＳ１００５の処理へ進む。
【０２０３】
ステップＳ１０１０において、第１の時間に達していないと判別した場合（Ｓ１０１０でＮＯ）、ＣＰＵ１１は、計時している時間が第２の時間に達したか否かを判別する（Ｓ１０２０）。
【０２０４】
ステップＳ１０２０において、第２の時間に達したと判別した場合（Ｓ１０２０でＹＥＳ）、ＣＰＵ１１は、前ページまでの画像の有効化された特徴（プレビュー表示特徴情報Ｙに登録された特徴）から規則性を抽出し（Ｓ１０２１）、前ページまでの特徴に規則性があったか否かを判別する（Ｓ１０２２）。
【０２０５】
ステップＳ１０２２において、規則性があったと判別した場合（Ｓ１０２２でＹＥＳ）、ＣＰＵ１１は、プレビュー表示中の画像の特徴がその規則性に合致するか否かを判別する（Ｓ１０２３）。
【０２０６】
ステップＳ１０２３において、合致していないと判別した場合（Ｓ１０２３でＮＯ）、ＣＰＵ１１は、合致していない特徴を補正するためのモードを追加した補正メニュー３９をタッチパネル３１に表示する（Ｓ１０３０）。次にＣＰＵ１１は、補正メニュー３９を通じた指示をユーザから受け付けた場合には、指示に従って画像を補正し（Ｓ１０３１）、ステップＳ１００５の処理へ進む。
【０２０７】
ステップＳ１０２０において、第２の時間に達していないと判別した場合（Ｓ１０２０でＮＯ）、ステップＳ１０２２において、規則性が無かったと判別した場合（Ｓ１０２２でＮＯ）、またはステップＳ１０２３において、合致したと判別した場合（Ｓ１０２３でＹＥＳ）、ＣＰＵ１１はステップＳ１００５の処理へ進み、次ページキー３８が押下されたか否かを判別する。
【０２０８】
［実施の形態の効果］
【０２０９】
上述の実施の形態の画像形成装置１は、画像をプレビュー表示する際に、操作パネルに同一ページの画像が所定時間以上表示された場合、または操作パネルに表示した画像が承認された場合に、開いたページ（現在表示しているページ）の画像の特徴と、開いたページの前までのページの画像の特徴から抽出した規則性とを比較することでモードを絞り込み、適切なモードを操作パネルに表示する。これにより、プレビュー表示しているページの画像でユーザが補正したいと考えるミスを、前のページまでにユーザが正常と判断した画像の特徴から推定し、そのミスを補正するためのモードを表示することができる。その結果、プレビュー画面においてページ単位でのモード設定を簡単に行うことができ、利便性を向上することができる。
【０２１０】
また、第１の時間に達した場合に画像の特徴を有効化することにより、ユーザによって時間をかけて確認された画像から規則性を抽出することができ、補正メニューに含まれるモードを適切なものにすることができる。
【０２１１】
また、第２の時間に達した場合に補正メニューを表示することにより、ユーザが時間をかけて画像を確認している場合に補正メニューを表示することができ、補正メニューを適切なタイミングで表示することができる。
【０２１２】
［その他］
【０２１３】
上述の実施の形態では、第１の時間に達した場合に画像の特徴を有効化する場合について示したが、時間の経過にかかわらず、表示部にプレビュー表示したページの画像の特徴を記憶してもよい。
【０２１４】
上述の実施の形態では、第２の時間に達した場合に補正メニューを表示する場合について示したが、表示部にプレビュー表示したページの画像に関する補正メニューを、経過時間にかかわらず表示してもよい。また、補正メニューを表示させるキーを表示部に表示し、そのキーが押下された場合に、補正メニューを表示してもよい。
【０２１５】
上述の実施の形態は適宜組み合わせることができる。たとえば第１の変型例と第２の変型例とを組み合わせて、第２の変型例において第１の時間に達した場合ではなくＯＫボタンが押下された場合に、特徴を記憶してもよい。
【０２１６】
上述の実施の形態における処理は、ソフトウェアにより行なっても、ハードウェア回路を用いて行なってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。プログラムは、ＣＰＵなどのコンピュータにより実行される。また、プログラムはインターネットなどの通信回線を介して、装置にダウンロードするようにしてもよい。
【０２１７】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０２１８】
１  画像形成装置
１１  ＣＰＵ
１２  ＲＯＭ
１３  ＲＡＭ
１４  ＨＤＤ
１５  ネットワーク接続部
１６  プリント処理部
１７  画像処理部
１８  操作パネル
１９  画像形成部
２０  スキャナ部
３１  タッチパネル
３２  スキャナキー
３３  コピーキー
３４  スタートキー
３５  テンキー
３６  プレビューキー
３７  前ページキー
３８  次ページキー
３９  補正メニュー
４０  プレビュー画像
４１  ＯＫキー
【図１】
0005582106.tif 000002
【図２】
0005582106.tif 000003
【図３】
0005582106.tif 000004
【図４】
0005582106.tif 000005
【図５】
0005582106.tif 000006
【図６】
0005582106.tif 000007
【図７】
0005582106.tif 000008
【図８】
0005582106.tif 000009
【図９】
0005582106.tif 000010
【図１０】
0005582106.tif 000011
【図１１】
0005582106.tif 000012
【図１２】
0005582106.tif 000013
【図１３】
0005582106.tif 000014
【図１４】
0005582106.tif 000015
【図１５】
0005582106.tif 000016
【図１６】
0005582106.tif 000017
【図１７】
0005582106.tif 000018
【図１８】
0005582106.tif 000019
【図１９】
0005582106.tif 000020
【図２０】
0005582106.tif 000021
【図２１】
0005582106.tif 000022
【図２２】
0005582106.tif 000023
【図２３】
0005582106.tif 000024